(57)【要約】【課題】高性能なマイコン等の装置を用いることなく、光の演出のバリエーションを飛躍的に増大させることが可能な演出用照明装置を提供する。【解決手段】載置台５の周囲に複数の発光ダイオード６（６ａ〜６ｈ）を所定の間隔で配置し、複数の発光ダイオード６（６ａ〜６ｈ）を用いて載置台５上の交換可能な被照射物４に対して複数の方向から複数の色の光を照射する。このとき、制御部１０によって発光ダイオード６（６ａ〜６ｈ）を駆動する駆動回路７の動作を制御することで、それぞれの発光ダイオード６（６ａ〜６ｈ）の発光状態を経時的に変化させる。【選択図】図４
2004349012.tif 000002
【特許請求の範囲】
【請求項１】
被照射物を保持する保持手段と、
前記保持手段に保持された被照射物に対して、複数の方向から光を照射する照射手段と、
前記照射手段に備えられた光源の発光状態を時間の経過とともに変化させる制御手段と、
前記保持手段、前記被照射物、および前記照射手段を被覆するとともに、前記照射手段が発する光および前記被照射物のシルエットを映し出す半透明のスクリーン部材と、を備えたことを特徴とする演出用照明装置。
【請求項２】
前記照射手段は、前記被照射物に対して複数の方向から異なった色の光を照射する複数の光源からなり、
前記制御手段は、時間の経過とともに前記複数の光源のそれぞれの光量を調整することを特徴とする請求項１に記載の演出用照明装置。
【請求項３】
前記照射手段における光源は、発光ダイオードであり、
前記制御手段は、前記発光ダイオードへの通電量を時間の経過とともに変更することを特徴とする請求項１または２に記載の演出用照明装置。
【請求項４】
前記保持手段は、前記被照射物が着脱自在に取り付けられる載置台を含むことを特徴とする請求項１〜３のいずれかに記載の演出用照明装置。
【請求項５】
前記スクリーン部材が、アクリルウレタン系樹脂が塗布されたガラスであることを特徴とする請求項１〜４のいずれかに記載の演出用照明装置。
【請求項６】
マイナスイオンを発生させるマイナスイオン発生部をさらに備えたことを特徴とする請求項１〜５のいずれかに記載の演出用照明装置。
【発明の詳細な説明】
【０００１】
【発明の属する技術分野】
この発明は、光の演出をスクリーン部材上に映し出す演出用照明装置に関する。
【０００２】
【従来の技術】
照明装置には、住居内において必要な明るさを保つために使用される通常の照明装置の他に、状況に応じて必要なムードを創るためやリラクゼーション効果を得るための演出用照明装置がある。
【０００３】
この演出用照明装置では、複数の光源を用いて各光源から発せられる光の明るさや色彩を変化させることにより、様々な光の演出を行っている。例えば、従来の演出用照明装置に中には、複数の発光ダイオードのそれぞれを任意の波形によって駆動することにより、ろうそくの炎を模した光の演出を実現するものがある（例えば、特許文献１参照。）。
【０００４】
【特許文献１】
特開２００２−３３４６０６
【発明が解決しようとする課題】
しかしながら、上述の特許文献１の技術を含む従来の演出用照明装置では、内蔵のマイコン等に格納された発光ダイオードの駆動パターンの数によって、光の演出のバリエーションの数が制限されるという不都合があった。すなわち、従来の演出用照明装置においては、内蔵のマイコン等に予めプログラムされたパターンでしか光の演出をすることができず、ユーザの趣味を光の演出に反映させることが困難であった。
【０００５】
このため、演出用照明装置のスクリーン部に映し出される光の演出のバリエーションを増加させる場合には、内蔵のマイコンをより高度なものにして発光ダイオードの駆動パターン等を増加させる必要があり、その分だけコストがかかるといった不都合が生じる。
【０００６】
この発明の目的は、高性能なマイコン等の装置を用いることなく、光の演出のバリエーションを飛躍的に増大させることが可能な演出用照明装置を提供することである。
【０００７】
【課題を解決するための手段】
この発明は以下の構成を備えている。
【０００８】
（１）被照射物を保持する保持手段と、
前記保持手段に保持された被照射物に対して、複数の方向から光を照射する照射手段と、
前記照射手段に備えられた光源の発光状態を時間の経過とともに変化させる制御手段と、
前記保持手段、前記被照射物、および前記照射手段を被覆するとともに、前記照射手段が発する光および前記被照射物のシルエットを映し出す半透明のスクリーン部材と、を備えたことを特徴とする。
【０００９】
この構成においては、保持手段に被照射物を保持させた状態で演出用照明装置の電源をオンすると、照射手段によって前記被照射物に対して複数の方向から光が照射され、前記被照射物のシルエットが照射手段の光源から発せられた光とともにスクリーン部材に映し出される。さらに、このとき制御手段によって照射手段における光源の発光状態が経時的に変化される。
【００１０】
したがって、ある方向から被照射物に対して照射された光によってスクリーン部材上に形成された被照射物のシルエットが、別の方向から照射された光によって色づけられる。さらに、照射手段における光源の発光状態の変化に伴い、次々と異なった方向から被照射物に対して光が照射されることから、上述の色付いたシルエットが照射手段から発せられる光とともにスクリーン部材上を移動するため、幻想的な光の演出がスクリーン部材上に映し出される。
【００１１】
特に、前記保持手段に保持される被照射物はユーザの好みによって任意に取替可能であるため、スクリーン部材上に映し出される光の演出のバリエーションがほぼ無限大に拡大する。
【００１２】
（２）前記照射手段は、前記被照射物に対して複数の方向から異なった色の光を照射する複数の光源からなり、
前記制御手段は、時間の経過とともに前記複数の光源のそれぞれの光量を調整することを特徴とする。
【００１３】
この構成においては、被照射物に対して複数の方向から異なった色の光を照射する複数の光源のそれぞれの光量が制御手段によって時間の経過とともに制御される。したがって、被照射物に対して複数の色の光が互いに異なる方向から照射され、それぞれの色の光が混じり合ってスクリーン部材上に映し出される等、スクリーン部材上で被照射物のシルエットが複数の色に発色し、また各光源からの光がスクリーン部材上で様々に変色するため、さらに幻想的な光の演出が実現される。
【００１４】
（３）前記照射手段における光源は、発光ダイオードであり、
前記制御手段は、前記発光ダイオードへの通電量を時間の経過とともに変更することを特徴とする。
【００１５】
この構成においては、照射手段が、互いに異なった色の光を発する発光ダイオードをそれぞれ１つ以上配設して構成されており、制御手段によって各発光ダイオードに対する通電量が時間の経過とともに制御される。したがって、照射手段を構成する各発光ダイオードを駆動する際の消費電力が低減されて省電力化が図られ、また、照射手段の各光源の制御が容易に行われる。
【００１６】
（４）前記保持手段は、前記被照射物が着脱自在に取り付けられる載置台を含むことを特徴とする。
【００１７】
この構成においては、被照射物を保持する保持手段が、被照射物が交換可能な状態で載置される載置台を含んでいる。したがって、被照射物の取替が容易に行われるため、スクリーン部材上に映し出されるシルエットの形状等が容易に変更され、簡易な構成で光の演出のバリエーションが拡大する。
【００１８】
（５）前記スクリーン部材が、アクリルウレタン系樹脂が塗布されたガラスであることを特徴とする。
【００１９】
この構成においては、光の演出を映し出すスクリーン部材が、アクリルウレタン系樹脂が塗布されたガラスである。したがって、スクリーン部材を構成するガラスが透き通ることがなく、照射手段の光源が発する光や被照射物のシルエットがガラス表面に好適に映し出される。また、ガラスに指紋がつきにくくなるため、スクリーン部材が汚れにくくなる。
【００２０】
（６）マイナスイオンを発生させるマイナスイオン発生部をさらに備えたことを特徴とする。
【００２１】
この構成においては、演出用照明装置に設けられたマイナスイオン発生部からマイナスイオンが発生する。したがって、幻想的な光の演出とマイナスイオンとの相乗効果によってリラクゼーション効果がさらに高まる。
【００２２】
【発明の実施の形態】
以下、図を用いて本発明の演出用照明装置の実施形態を説明する。
【００２３】
図１は、第１の実施形態における照明装置の構成を示す図である。ここで、図１（ａ）は、映写ガラス３が本体２に取り付けられた状態を示しており、図１（ｂ）は、本体２から映写ガラス３が取り外された状態を示している。図１（ｂ）に示すように、照明装置１は、本体２と映写ガラス３とによって構成される。本実施形態では、図１における端子９に、照明装置１の電源となるＡＣアダプタが接続される。
【００２４】
映写ガラス３は、本発明のスクリーン部材を構成する。また、映写ガラス３は、本体内部の構成を外部に露出することなく光の演出を映し出す程度の適度な遮光性が必要であり、磨りガラス等を用いることができる。本実施形態では、映写ガラス３は、ガラスの表面にアクリルウレタン系樹脂を塗布し１５０度Ｃで加熱処理して生成される。このとき、耐候性を高めるために特殊アクリル樹脂が配合され、また、接着性を高めるためにシリコン化合物が配合される。このため、本実施形態における映写ガラス３は、触れても指紋がつきにくく、光の演出を映し出すスクリーンが汚れにくくなっている。なお、映写ガラス３の形状は図１に示す形状に限定されることはなく、四角柱状や三角柱状の形状にしても良い。
【００２５】
本体２の上面には上方に開口した凹部が設けられており、開口部に雌ねじがきられている。これに対して、映写ガラス３の下部には、本体２の開口部の雌ねじに適合する形状の雄ねじがきられている。この構成により、映写ガラス３を本体２の開口部に当接させつつ時計廻りに回転させることで映写ガラス３の下部と本体２の開口部とが螺合し図１（ａ）に示す状態となる。
【００２６】
一方で、映写ガラス３を本体２に対して反時計廻りに回転させることで、本体２から映写ガラス３を取り外すことができる。なお、映写ガラス３と本体２の組み合わせの構成は、上述の構成に限定されるものではなく、他の手法により映写ガラス３と本体２とを係合させてもよい。
【００２７】
図２は、照明装置１の本体２の構成を示している。同図に示すように、本体２に設けられた上述の凹部の底面の略中央には、造形物、植物、オブジェ等の被照射物４が載置される載置台５が設けられている。本実施形態では、載置台５が本発明の保持手段を構成する。
【００２８】
載置台５の周囲には、複数の方向から載置台５上の被照射物４に対して光を照射するための発光ダイオード群６が配設されている。各発光ダイオード６（６ａ〜６ｈ）は、載置台５の周囲において略等間隔に配置されている。本実施形態では、上述の発光ダイオード群６が本発明の照射手段を構成し、各発光ダイオード６（６ａ〜６ｈ）が本発明の照射手段の光源を構成する。なお、本発明の照射手段は、発光ダイオード群６（６ａ〜６ｈ）に限定されることはなく、載置台５上の被照射物４に対して複数の方向から光を照射するものであれば、例えば電球等を用いることも可能である。
【００２９】
ここでは、発光ダイオード群６が８つ発光ダイオード６（６ａ〜６ｈ）からなっている。これらの８つの発光ダイオード６（６ａ〜６ｈ）には、緑色の光を発する発光ダイオード、赤色の光を発する発光ダイオード、白色の光を発する発光ダイオード、および青色の光を発する発光ダイオードがそれぞれ２つずつ含まれている。また、本実施形態では、発光ダイオード６（６ａ〜６ｈ）は、隣りに異なった色の光を発する発光ダイオード６（６ａ〜６ｈ）が位置するように配列されている。なお、発光ダイオード６（６ａ〜６ｈ）の配置については本実施形態における配置に限定されるものではなく、自由な配置にすることが可能である。
【００３０】
さらに、発光ダイオード６（６ａ〜６ｈ）は、フレキシブルシャフトのような可撓性を有する棒状体の先端部に配置されているため、この棒状体を適宜変形させることにより、被照射物４に対して光を照射する光源の位置を、棒状体が変形可能な所定の範囲内で微調整することができる。なお、図２（ｂ）は、載置台５に載置された被照射物４を新たな被照射物に交換するために被照射物４を載置台５から取り除いている状態を表している。
【００３１】
図３は、載置台５における被照射物４の載置状態を示す図である。図３（ａ）は、植物に載置用具４１を取り付けてこれらを一体にして載置台５に載置させる構成を示している。このとき、本実施形態では、載置台５と載置用具４１とが磁力によって適度な強さで引き合うように構成されている。
【００３２】
一方、図３（ｂ）は、載置用具４１にスポンジ４２を固定しており、このスポンジ４２に、適宜、被照射物４を差し込んで被照射物４がスポンジ４２によって保持される構成になっている。図３（ｂ）に示す構成によれば、細かい部材片を複数組み合わせてオブジェ等の被照射物４を構築する際に、各部材片をスポンジ４２に固定できるという利点がある。本発明の保持手段の構成は、上述のように磁性体である載置用具４１を磁石で構成された載置台５に載置する構成に限定されることはなく、被照射物４を安定した状態で保持し、かつ、被照射物４を容易に交換できるように保持する構成であれば、任意の構成を照明装置１に適用することが可能である。
【００３３】
図４は、照明装置１の機能の概要を示す図である。同図に示すように、照明装置１は、上述の発光ダイオード６（６ａ〜６ｈ）を駆動する駆動回路７と、駆動回路７の動作を制御する制御部１０と、駆動回路７や制御部１０を含む照明装置１の各構成要素に電力を供給する電源部８と、を備えている。電源部８は、商用電源を整流する変圧整流回路等を備えており、本実施形態ではＡＣアダプタが用いられている。なお、電源部８として乾電池等のバッテリを使用することも可能である。
【００３４】
図５は、制御部１０の構成を示すブロック図である。同図に示すように制御部１０は、マイコン１１、動作スピードモード切替部１２、調光部１３、ＲＯＭ１４、および発光パターン設定部１５を備えている。
【００３５】
動作スピードモード切替部１２は、照明装置１の動作クロックを変化させて照明装置１の動作速度を調整する。調光部１３は、各発光ダイオード６（６ａ〜６ｈ）の光量を調整する。発光パターン設定部１５は、ユーザが各発光ダイオード６（６ａ〜６ｈ）の発光パターンを設定する際に使用される。ＲＯＭ１４は、発光ダイオード６（６ａ〜６ｈ）を駆動するための波形パターンが記録されている。マイコン１１は、発光パターン設定部１５の設定内容に適合する駆動波形を読み取り、照明装置１の動作クロックに同期して駆動回路７の動作を制御する。
【００３６】
図６は、本発明の発光手法の特徴を示している。図６において、映写ガラス３に映し出される発光ダイオード６ａ、発光ダイオード６ｂ、および発光ダイオード６ｃからの光をそれぞれＬＡ  、ＬＢ  、およびＬＣ  で表しており、発光ダイオード６ａ、発光ダイオード６ｂ、および発光ダイオード６ｃからの光によって形成される被照射物４のシルエットをそれぞれＳＡ  、ＳＢ  、およびＳＣ  で表している。
【００３７】
図６（ａ）は、被照射物４に対して単一の発光ダイオード６ａから光を照射している状態を示している。この状態では、映写ガラス３に映し出される被照射物４のシルエットは黒色であり色彩が付いていない。また、この場合、映写ガラス３に映し出される光の演出は、発光ダイオード６ａからの光が映し出される映写ガラス３ａおよび３ｃと、発光ダイオード６ａからの照射による被照射物４のシルエットが映し出される映写ガラス３ｂと、の２種類になる。
【００３８】
ところが、図６（ｂ）に示すように２つの発光ダイオード６（６ａ、６ｂ）から被照射物４に対して光が照射された場合には、発光ダイオード６ａから照射された光よって形成される被照射物４のシルエットが発光ダイオード６ｂからの光によって色づけられ、また、発光ダイオード６ｂから照射された光によって形成される被照射物４のシルエットが発光ダイオード６ａからの光によって色づけられるため、被照射物４のシルエットがより美しく映写ガラス３（３ｅ、３ｇ）上に映し出される。また、映写ガラス３（３ｄ、３ｆ、３ｈ）には発光ダイオード６ａからの光および発光ダイオード６ｂからの光が混じり合った状態で映し出される。
【００３９】
さらに、図６（ｃ）は、被照射物４に対し、３つの発光ダイオード６（６ａ〜６ｃ）を用いて、同時に互いに異なる３つの方向から光を照射する状態を示している。この場合、映写ガラス３において被照射物４のシルエットが複数の色が混じり合った光によって色づけられる。例えば、映写ガラス３（３ｊ）では、発光ダイオード６（６ｃ）からの光によって形成された被照射物４のシルエットが、発光ダイオード６（６ａ、６ｂ）からの光によって色づけられる。
【００４０】
このように、被照射物４に対して、同時に少なくとも２つ以上の発光ダイオードから光を照射することにより被照射物４のシルエットに色彩が付けたり、被照射物４のシルエットに強い光を照射してシルエットをぼんやりと薄くなるようにすることが可能になるため、演出用照明装置１における光の演出を効果的にすることが可能になる。
【００４１】
この点を考慮して、本発明では、複数の発光ダイオードを用いて同時に複数の角度から被照射物４に対して光を照射する点を特徴の１つとしている。特に、同時に被照射物４に対して光を照射する発光ダイオード６を個数を増加させることにより、また、発光ダイオード６（６ａ〜６ｈ）の色の種類を増加させることにより、さらに幻想的な光の演出を実現することが可能になる。そして、映写ガラス３上に映し出される被照射物４のシルエットの形状は、被照射物４を交換することにより変更することが可能であるため、ユーザの趣味に合わせて被照射物４を取り替えることにより、ユーザの好みに合った光の演出を実現することができるとともに、光の演出のバリエーションを増加させることができる。
【００４２】
さらに、被照射物４の周囲を囲むように配置された８つの発光ダイオード６（６ａ〜６ｈ）によって順次異なった角度から被照射物４に光をあてることにより、被照射物４のシルエットが色づけられながら映写ガラス３上を移動するため幻想的な光の演出が実現する。このとき、各発光ダイオード６に対する通電量を時間とともに変化させて被照射物４に照射する光に強弱を付けることにより、被照射物４のシルエットに対する無限の色付けが可能になる。また、いずれか任意の発光ダイオード６を点滅されることにより、異なった影を映写ガラス３に突如浮かび上がらせて消す等の演出が可能になり、光の演出のバリエーションが増加する。
【００４３】
ここで、光の演出を映し出す映写ガラス３が平面状（フラットスクリーン）である場合、発光ダイオード群６の発光状態（色、明るさ）が移り変わることにより映写ガラス３上に被照射物４のシルエットが映し出され、また、発光ダイオード６（６ａ、６ｂ、６ｃ）からの光が混じり合った箇所は、映写ガラス３上において濃淡または混色（加減混色）として表現される。また、順次隣接する発光ダイオード６を発光させることにより、被照射物４のシルエットが映写ガラス３の端から端へと移動する。
【００４４】
これに対して、本実施形態のように映写ガラス３が球状（球状スクリーン）である場合、フラットスクリーンの場合と同様に各発光ダイオード６（６ａ〜６ｈ）からの光と被照射物４のシルエットとが映写ガラス３の周面の全域に３６０°にわたって映し出される。本実施形態において、各発光ダイオード６（６ａ〜６ｈ）の発光状態は、それぞれ独立して短い周期の波形や長い周期の波形によって駆動される。
【００４５】
図７は、発光ダイオード６（６ａ〜６ｈ）を駆動する波形の例を示している。同図において横軸に時間をとり、縦軸に発光ダイオード６（６ａ〜６ｈ）の明るさを示している。なお、発光ダイオード６（６ａ〜６ｈ）の明るさは、発光ダイオード６（６ａ〜６ｈ）への通電量によって調整される。
【００４６】
図７（ａ）は、本実施形態における第１の発光パターンを示している。同図に示す第１の発光パターンでは、４つの駆動波形を用いて８つの発光ダイオード６（６ａ〜６ｈ）を駆動する。ここでは、８つの発光ダイオード６（６ａ〜６ｈ）を、各グループに２個の発光ダイオード６（６ａ〜６ｈ）が含まれるように４つのグループに分けるとともに、それぞれのグループを駆動波形Ａ、駆動波形Ｂ、駆動波形Ｃ、または駆動波形Ｄのいずれかの波形によって駆動している。
【００４７】
この第１の発光パターンによれば、各発光ダイオード群が全く異なった波形で駆動されるため、光の濃淡や光の混色表現のバリエーションが増加して、発光ダイオード６（６ａ〜６ｈ）から発する光の視認度が向上する。
【００４８】
一方、図７（ｂ）は、第２の発光パターンを示している。第２の発光パターンでは、すべて同じ周期で、かつ、同じ形状の波形によって各発光ダイオード６（６ａ〜６ｈ）を駆動している。ここでは、各発光ダイオード６（６ａ〜６ｈ）が順番に点灯してゆき、所定の時間だけ点灯した後に消灯する。このとき、例えば載置台５の周囲に配置された各発光ダイオード６（６ａ〜６ｈ）を、時計廻りに順番に駆動していくことにより、被照射物４のシルエットが映写ガラス３上でゆっくり移動する。また、各発光ダイオード６（６ａ〜６ｈ）が、点灯開始時から徐々に光量を増してゆき、ピークの光量を超えた後に徐々に光量を減少させて消灯するように駆動されているため、映写ガラス３上を移動する被照射物４のシルエットの色合いが徐々に変化するという視覚的効果を奏することができる。
【００４９】
なお、各発光ダイオード６（６ａ〜６ｈ）を駆動する波形は、上述の図７に示す波形に限定されることはなく、例えば、８つの駆動波形を用いて８つの発光ダイオード６（６ａ〜６ｈ）のそれぞれを互いに異なった波形で駆動するようにしてもよい。一般的に駆動波形の周期を大きくすると発光ダイオード６（６ａ〜６ｈ）の発光状態の変化がゆっくりになる。また、駆動波形を急な変化がない滑らかで不規則な曲線で構成することにより「ゆらぎ」のリズムで発光ダイオード６（６ａ〜６ｈ）が発光するため、観る者に安らぎを与える独特な光の演出を実現することが可能になる。
【００５０】
本実施形態では、スクリーン部材としてガラスを用いているが、本発明のスクリーン部材はガラスに限定されるものではない。本発明において半透明のスクリーン部材とは、発光ダイオード６や被照射物４等の内部構成を外部に露出させることなく、発光ダイオード６から発せられる光や被照射物４のシルエットを映し出す程度の遮光性を有するスクリーン部材をいうものとし、このため、本発明における半透明のスクリーン部材には、和紙、布、プラスチック等の適度な遮光性を有するスクリーン部材が含まれるものとする。
【００５１】
上述の実施形態では、被照射物４として植物の形状のオブジェが用いられているが、このオブジェに換えて、またはこのオブジェと共に絵や文字等が描かれたフィルムを映写ガラス３と発光ダイオード６との間に配置することで、映写ガラス３上に映し出されるシルエットに変化を持たせることが可能になる。照明装置１では、被照射物４を交換したり、適宜映写ガラス３の内面にフィルムを貼ることにより、制御部１０の性能を向上させなくても、光の演出にユーザの趣味を反映し、かつ、光の演出のバリエーションをほぼ無限大にまで拡大することが可能であり、飽きることがない。さらに、発光ダイオード６のオン／オフを切り替えたり、明るさの調整を繰り返すことにより、常時発光ダイオード６に対して通電する場合に比較して発光ダイオード６に対する通電量が減少するため、照明装置１の消費電力を削減し、かつ、視認効果を図ることが可能になる。
【００５２】
図８は、第２の実施形態における照明装置の機能の概要を示す図である。第２の実施形態における照明装置の基本構成は、第１の実施形態における照明装置の基本構成と同一である。ただし、第２の実施形態における照明装置には、新たにマイナスイオン発生部２０が追加されている。
【００５３】
マイナスイオン発生部２０は、電子放射式によってマイナスイオンを発生させる。一般的にマイナスイオンを発生させる際には、２つの電極を用いてイオンの空中放出を行っているが、本発明では単電極によってイオンの空中放出を行っている。これは、単電極によるイオンの空中放出によって、マイナスイオンの放出が均一ではなくなり、不規則な「ゆらぎ」のリズムでマイナスイオンが発生するからである。なお、マイナスイオン発生部２０におけるマイナスイオンの発生方法は、特に上述の方法に限定されることはなく、トルマリン等を用いてマイナスイオンを発生させるようにしても良い。
【００５４】
図９は、第２の実施形態における照明装置１′の構成を示している。同図に示すようにマイナスイオン発生部２０で発生したマイナスイオンは、マイナスイオン放出孔２１を介して外部に放出される。このため、照明装置１′の近傍にいるユーザに対してマイナスイオンによる安らぎを与えることが可能になる。特に、本実施形態では、ユーザは映写ガラス３に映し出される光の演出によって視覚的な安らぎを得ることができるため、照明装置１′の近傍にいるユーザは、映写ガラス３に映し出される光の演出とマイナスイオンとによる相乗効果によって、優れたリラクゼーション効果を期待することが可能になる。例えば、就寝前に寝室で照明装置１′を使用することにより、リラックスすることによる誘眠効果、ストレス解消、および安眠効果を得ることが可能になる。
【００５５】
【発明の効果】
以上のように、この発明によれば、以下の効果を奏することができる。
【００５６】
（１）保持手段に被照射物を保持させた状態で演出用照明装置の電源をオンすると、照射手段が前記被照射物に対して複数の方向から光を照射し、前記被照射物のシルエットを照射手段の光源から発せられた光とともにスクリーン部材に映し出すところ、制御手段が照射手段における光源の発光状態を経時的に変化させることにより、ある方向から被照射物に対して照射された光によってスクリーン部材上に形成された被照射物のシルエットを、別の方向から照射された光によって色づけることが可能になる。さらに、照射手段における光源の発光状態の変化に伴い、次々と異なった方向から被照射物に対して光を照射できることから、上述の色付いたシルエットを照射手段から発せられる光とともにスクリーン部材上で移動させることができ、幻想的な光の演出をスクリーン部材上に映し出すことが可能になる。
【００５７】
特に、前記保持手段に保持される被照射物をユーザの好みによって任意に取り替えることが可能であるため、スクリーン部材上に映し出される光の演出のバリエーションをほぼ無限大にまで拡大することが可能になる。
【００５８】
（２）被照射物に対して複数の方向から異なった色の光を照射する複数の光源のそれぞれの光量を制御手段が時間の経過とともに制御することにより、被照射物に対して複数の色の光を互いに異なる方向から照射して、それぞれの色の光を混じり合わせてスクリーン部材上に映し出す等、スクリーン部材上で被照射物のシルエットを複数の色に発色させ、また各光源からの光をスクリーン部材上で様々に変色させることができるため、さらに幻想的な光の演出を実現することが可能になる。
【００５９】
（３）照射手段を、互いに異なった色の光を発する発光ダイオードをそれぞれ１つ以上配設して構成しており、制御手段が各発光ダイオードに対する通電量を時間の経過とともに制御することにより、照射手段を構成する各発光ダイオードを駆動する際の消費電力を低減して省電力化を図ることができ、また、照射手段の各光源の制御を容易に行うことが可能になる。
【００６０】
（４）被照射物を保持する保持手段が、被照射物が交換可能な状態で載置される載置台を含んでいることにより、被照射物の取替を容易に行うことができ、スクリーン部材上に映し出されるシルエットの形状等を容易に変更することができるため、簡易な構成で光の演出のバリエーションを拡大させることが可能になる。
【００６１】
（５）光の演出を映し出すスクリーン部材として、アクリルウレタン系樹脂が塗布されたガラスを用いたことにより、スクリーン部材を構成するガラスが透き通ることを防止し、照射手段の光源が発する光や被照射物のシルエットをガラス表面に好適に映し出すことが可能になる。また、ガラスに指紋がつきにくくなるため、スクリーン部材を汚れにくくすることが可能になる。
【００６２】
（６）演出用照明装置に設けられたマイナスイオン発生部からマイナスイオンが発生することにより幻想的な光の演出とマイナスイオンとの相乗効果によってリラクゼーション効果をさらに高めることが可能になる。
【００６３】
よって、高性能なマイコン等の装置を用いることなく、光の演出のバリエーションを飛躍的に増大させることが可能な演出用照明装置を提供することができる。
【図面の簡単な説明】
【図１】第１の実施形態における照明装置の構成を示す図である。
【図２】照明装置の本体の構成を示す図である。
【図３】照明装置の載置台における被照射物の載置状態を示す図である。
【図４】第１の実施形態における照明装置の機能の概要を示す図である。
【図５】照明装置の制御部の構成を示す図である。
【図６】本発明の照明装置の発光手法の特徴を示す図である。
【図７】発光ダイオードの駆動波形の例を示す図である。
【図８】第２の実施形態における照明装置の機能の概要を示す図である。
【図９】第２の実施形態における照明装置の構成を示す図である。
【符号の説明】
１−演出用照明装置
２−本体
３−映写ガラス
４−影体
５−載置台
６（６ａ〜６ｈ）−発光ダイオード
【図１】
2004349012.tif 000003
【図２】
2004349012.tif 000004
【図３】
2004349012.tif 000005
【図４】
2004349012.tif 000006
【図５】
2004349012.tif 000007
【図６】
2004349012.tif 000008
【図７】
2004349012.tif 000009
【図８】
2004349012.tif 000010
【図９】
2004349012.tif 000011